(57)【特許請求の範囲】
【請求項１】
洗面ボウルや水栓が設けられたキャビネット函体が設置された後方の壁面に固定され、該キャビネット函体とで洗面化粧台を構成するミラーキャビネットであって、
このミラーキャビネットは、所定の形状に合成樹脂で一体成形され、かつ裏面の下端寄りに、一対の平行な補強リブが横向きに設けられたものであり、該リブの下方が切除されることにより、強度に影響を与えることなく、寸法の変更が可能となされると共に、一対のリブ間の任意の位置にねじ孔を設けることにより、横方向の任意の位置で壁面にねじ止め固定できるようになされたことを特徴とするミラーキャビネット。
【請求項２】
補強リブの下側に、この補強リブに沿って切除案内用のカット溝が設けられていることを特徴とする請求項１記載のミラーキャビネット。
【発明の詳細な説明】
【０００１】
【発明の属する技術分野】
本発明は、洗面ボウルや水栓が設けられたキャビネット函体が設置された後方の壁面に固定され、該キャビネット函体とで洗面化粧台を構成するミラーキャビネットに関する。
【０００２】
【従来の技術】
一般に洗面化粧台は、図５並びに図６に示すように洗面ボウルや水栓など（図示せず）が設けられたキャビネット函体５と、このキャビネット函体５の上側に、その後方の壁面Ｗに固定して設置されるミラーキャビネット１０とで構成されている。このミラーキャビネット１０は、棚部１０ｂなどを設けた所定の形状に合成樹脂で一体成形され、その表面の所定位置に鏡２を取り付けたものであり、壁面Ｗへの取り付けは、その上下両端（通常、その四隅角部）をキャップ付ねじ（図示せず）で固定することにより、行うこととしていた。
【０００３】
ここにおいて、このミラーキャビネット１０は、設置場所の高さ制約などによって設置できない場合が有り、これに対応するために、高さの異なる（低い）ミラーキャビネットをもう一つ用意する必要があった。しかしながら、このように高さの異なるものを二種類製造するには、高価な成形用金型を二種類、準備しなくてはならず、コストが嵩むという問題点があった。
【０００４】
そこで、従来は、鏡２が取り付けられる個所の下側にバックガード１０ａとなる部分が連設されたものを、標準品として製造し、高さの低いものに対しては、図７に破線で示したように、このバックガード１０ａに相当する個所を切除することにより対応していた。しかしながら、このようにキャビネット１０の下側を切除すると、補強リブとして作用する周縁部分が失われるので、キャビネット１０自体の強度が低下すると共に、ねじの貫通個所の強度も低下するという問題点が生じる。
【０００５】
そのため、従来は、この切除個所の上側に、図８に示すように、樹脂補強桟１２を両面テープなどの適宜手段を用いて取り付けると共に、その上側に左右一対のスペーサー１１，１１を同様に取り付け、このスペーサー１１を取り付けた個所を壁面Ｗへのねじ止め部としていた。
【０００６】
図９は、このようにして壁面Ｗに取り付けられたミラーキャビネット１０の要部断面図である。図示したように、このミラーキャビネット１０は、表面からスペーサー１１を貫通したねじ３で壁面Ｗに固定されており、このねじ３の頭部には、外観の体裁が悪くならないように、キャップ４を被せていた。
【０００７】
なお、ミラーキャビネット１０の上側の固定は、照明器具６のカバー内などの目立たない個所に設けられたねじ孔（図示せず）を利用して、同様に壁面Ｗにねじ止めすることにより、なされる。
【０００８】
【発明が解決しようとする課題】
上述した従来のミラーキャビネットでは、洗面化粧台の種類に応じて、その下端部分を切除する必要が生じた場合、別途、樹脂補強桟やスペーサーを準備しなくてはならず、部品代が嵩むと共に、これらをキャビネット裏面の所定位置に固定する手間も必要とし、組立作業能率が悪いという問題点があった。
【０００９】
本発明は、これらの問題点を解決し、容易に高さの変更に対応し得るようにしたミラーキャビネットを提供しようとするものである。
【００１０】
【課題を解決するための手段】
上記の課題を解決するために、本発明のうち、請求項１記載の発明は、洗面ボウルや水栓が設けられたキャビネット函体が設置された後方の壁面に固定され、該キャビネット函体とで洗面化粧台を構成するミラーキャビネットを、所定の形状に合成樹脂で一体成形され、かつ、その裏面の下端寄りに一対の平行な補強リブが横向きに設けられたものとし、リブの下方を切除することにより、強度に影響を与えることなく、高さの変更を可能とし、一対のリブ間の任意の位置にねじ孔を設けることにより、横方向の任意の位置で壁面にねじ止め固定できるようにしたことを特徴とする。
【００１１】
請求項２記載の発明は、請求項１記載の発明の構成に加えて、補強リブの下側に、この補強リブに沿って切除案内用のカット溝を設けたことを特徴とする。
【００１２】
【発明の実施の形態】
以下、本発明を図示した実施の形態に基づき詳細に説明する。なお、従来例に示したものと同一の個所には、同一の符号を附している。
【００１３】
図１は、本発明のミラーキャビネット１の要部分解斜視図、図２は、要部の拡大断面図である。このミラーキャビネット１は、図５や図６に示した従来のものと同様に、表面に棚部１ｂなどを有する所定の形状に合成樹脂で一体成形され、その表面の所定位置に鏡２を取り付けたものであり、洗面ボウルや水栓など（図示せず）が設けられたキャビネット函体５と組み合わせて用いられることにより、洗面化粧台を構成するものである。
【００１４】
そして、その取り付けも、従来のものと同様に、洗面化粧台のベースとなるキャビネット函体５が設置された後側の壁面Ｗに、ねじ止め固定することによりなされる。
【００１５】
また、このミラーキャビネット１は、洗面化粧台のタイプによって、鏡の２下端とキャビネット函体５との間のバックガード１ａに相当する部分が、図５に示すように高くしたものと、図６に示すように、殆ど設けないようにしたものの二種の用いられ方がある点についても従来のものと、同じである。
【００１６】
ここにおいて本発明のミラーキャビネット１では、裏面の下端寄りに一対の平行な補強リブ１ｃ，１ｄを横向きに一体成形すると共に、この補強リブ１ｄに沿って、その下側に切除案内用のカット溝１ｆを凹設している。
【００１７】
したがって、図５に示すように、キャビネット函体５との間に、比較的大きなバックガード１ａに相当する部分を備えた標準品の場合は、このミラーキャビネット１をそのままキャビネット函体５が設置された後方の壁面Ｗにねじ止めすれば良く、この点において従来のものと何ら変わるところはない。
【００１８】
そして、このように大きなバックガード１ａを要さず、鏡２をキャビネット函体５に近接して設置したい場合や、洗面化粧台自体の高さを低くする必要がある場合には、このミラーキャビネット１の下側を切除する訳であるが、この時、本発明のミラーキャビネット１では、切除案内用のカット溝１ｆが、その裏面の所定個所に設けられているので、カッターなどを用いて容易に、このカット溝１ｆからミラーキャビネット１の下側を、図１に示すように切り離すことができる。
【００１９】
そして、このようにしてミラーキャビネット１の下側を切除した後、平行な補強リブ１ｃ，１ｄの間の適所に、図２に示すようにねじ孔１ｅを穿設し、このねじ孔１ｅを利用して、図３に示すようにミラーキャビネット１を壁面Ｗにねじ止めすれば良く、このことで、一対の補強リブ１ｃ，１ｄは、ミラーキャビネット１自体の強度を保つように機能すると共に、ねじ止めの際のスペーサーのように機能するものである。
【００２０】
図６は、このようにして下側が切除されたミラーキャビネット１を、キャビネット函体５が設置された後側の壁面Ｗにねじ止め固定してなる洗面化粧台の正面図である。なお、図６において符号４は、ねじ３の頭部を覆い、キャビネットの外観の体裁が悪くならないようにするためのキャップを示す。
【００２１】
なお、図示していないが、ミラーキャビネット１の上側に配置された照明器具６のカバー内などの目立たない個所には、ミラーキャビネット１の上側を固定するねじを取り付けるためのねじ孔が設けられており、このねじ孔を利用してミラーキャビネット１の上側が、壁面Ｗにねじ止め固定されるようになっている。
【００２２】
以上のようにして本発明のミラーキャビネット１では、ガイド溝１ｆに沿ってその下側を切除し、平行な補強リブ１ｃ，１ｄの間にねじ孔１ｅを穿設するだけで、このミラーキャビネット１を高さの異なるタイプの洗面化粧台に対応させることができ、その組み付け作業性の向上が図られることとなる。
【００２３】
また、上記ねじ孔１ｅは、平行な補強リブ１ｃ，１ｄの間であれば、その横方向の何れの位置にでも設けることができるので、ミラーキャビネット１が固定される壁面Ｗの内部構造材（図示せず）の位置に対応させることができ、その設置場所の制限がなくなると共に、その取付固定も、より確実になるという効果がある。
【００２４】
なお、図示した実施の形態では、ミラーキャビネット１の下側の切除作業が容易に行えるように、下側の補強リブ１ｄに沿ってカット溝１ｆを凹設した例を示したが、本発明のミラーキャビネット１は、裏面の下端寄りに一対の補強リブ１ｃ，１ｄを設けることにより、その下方が切除された際にキャビネット自体の強度が低下しないようにすると共に、この補強リブ１ｃ，１ｄをねじ止めの際の受け部として機能させるようにした点に特徴があり、カット溝１ｆは、必ずしも設ける必要はない。
【００２５】
【発明の効果】
以上説明したように、本発明のうち、請求項１記載の発明は、ミラーキャビネットの裏面に一対の補強リブを設け、この補強リブの下側で切除可能とし、かつ、このリブの間にねじ孔を設けることとしたので、下方を切除しても、全体の強度が低下するおそれがなく、また、ねじの受け部を、別途、設ける必要もない。よって、従来のように樹脂桟やスペーサーなどの別部品を用意する必要がなく、かつ、これを取り付ける手間も不要となり、部品及び組立コストが削減されると共に、組立作業能率も向上する。また、ねじ孔は、平行な補強リブの間であれば、その横方向の何れの位置にでも設けることができるので、ミラーキャビネットが固定される壁面の内部構造材（図示せず）の位置に対応させることができ、その設置場所の制限がなくなると共に、ねじ止めされた際のキャビネットの変形が防止されるので、その取付固定もより確実になるという効果がある。
【００２６】
請求項２記載の発明は、補強リブの下側に、この補強リブに沿って切除案内用のカット溝を設けたので、ミラーキャビネットの下側の切除作業が容易、かつ正確に行えることとなり、請求項１記載の発明の効果に加え、一層その作業能率の向上が図られるという効果がある。
【図面の簡単な説明】
【図１】本発明に係るミラーキャビネットの実施形態を示した要部分解斜視図である。
【図２】図１に示したミラーキャビネットの要部拡大裏面図である。
【図３】本発明のミラーキャビネットの取付状態の要部断面図である。
【図４】本発明のミラーキャビネットの要部断面図である。
【図５】ミラーキャビネットの第１使用例を示した簡略正面図である。
【図６】ミラーキャビネットの第２使用例を示した簡略正面図である。
【図７】従来のミラーキャビネットの要部断面図である。
【図８】従来のミラーキャビネットの要部分解斜視図である。
【図９】従来のミラーキャビネットの取付状態の要部拡大断面図である。
【符号の説明】
１  ミラーキャビネット
１ａ  バックガード
１ｂ  棚部
１ｃ，１ｄ  補強リブ
１ｅ  ねじ孔
１ｆ  ガイド溝
２  鏡
３  ねじ
４  キャップ
５  キャビネット函体
Ｗ  壁面
【図１】
0003929750.tif 000002
【図２】
0003929750.tif 000003
【図３】
0003929750.tif 000004
【図４】
0003929750.tif 000005
【図５】
0003929750.tif 000006
【図６】
0003929750.tif 000007
【図７】
0003929750.tif 000008
【図８】
0003929750.tif 000009
【図９】
0003929750.tif 000010